(57)【要約】    【課題】小型の可動演出体は勿論のこと、大型の可動演出体であっても、その可動演出体を原点位置で正確に停止させて確実に固定できるようにする。    【解決手段】第１可動演出体２４と、この第１可動演出体２４を支持部２５を介して支持する第２可動演出体２６と、第１可動演出体２４を駆動する駆動手段４５とを備え、第１可動演出体２４と第２可動演出体２６との一方に磁性体６８を、他方に磁性体６８を吸引して第１可動演出体２４を原点位置で第２可動演出体２６に固定する磁石６９を夫々設け、磁性体６８及び磁石６９は支持部２５よりも第１可動演出体２４の遊端側に配置したものである。【選択図】図５
2010110415.tif 000002
【特許請求の範囲】
【請求項１】
可動演出体（２４，２６）と、該可動演出体（２４，２６）を支持部（２５）を介して支持する支持枠（１９，２６）と、前記可動演出体（２４，２６）を駆動する駆動手段（４５，８７，１２０，１２３）とを備えた遊技機において、前記可動演出体（２４，２６）と前記支持枠（１９，２６）との一方に磁性体（６８）を、他方に前記磁性体（６８）を吸引して前記可動演出体（２４，２６）を原点に固定する磁石（６９）を夫々設け、前記磁性体（６８）及び前記磁石（６９）は前記支持部（２５）よりも前記可動演出体（２４，２６）の遊端側に配置したことを特徴とする遊技機。
【請求項２】
前記支持枠（１９，２６）は移動自在であり、前記可動演出体（２４，２６）は前記支持枠（１９，２６）の前側に配置され且つ左右重量が略平衡する位置で前記支持部（２５）により揺動又は回動自在に支持され、前記支持枠（１９，２６）に前記駆動手段（４５，８７，１２０，１２３）を備えたことを特徴とする請求項１に記載の遊技機。
【請求項３】
前記可動演出体（２４，２６）の作動方向と略直交方向に対向して前記磁石（６９）と磁性体（６８）とを配置し、前記磁石（６９）は対向側の端面に一方の磁極を有し、前記磁性体（６８）は板面側端面（７４）が前記作動方向及び前記略直交方向に対して略直交し且つ板厚側端面（７５）が前記磁石（６９）と対向して配置された鉄片（６８）であることを特徴とする請求項１又は２に記載の遊技機。
【請求項４】
前記磁石（６９）は前記可動演出体（２４）の裏面側に形成された凹部（７２）内に嵌合され裏側から当接する非磁性材製の押え部（７３）により保持されていることを特徴とする請求項１〜３の何れかに記載の遊技機。
【請求項５】
前記磁性体（６８）は前記支持枠（２６）の保持部（７９）に裏側から嵌合する本体部（７６）と、該本体部（７６）の略中央から前記磁石（６９）側へと前方に突出し且つ前記支持枠（１９，２６）の前壁部（６３）に形成された通孔（８０）に嵌合する突出部（７７）と、該突出部（７７）の側方で前記本体部（７６）の前端に形成され且つ前記前壁部（６３）に裏側から当接する肩部（７８）とを有し、前記本体部（７６）の後端は前記支持枠（２６）の裏板（５９）の凹部（８１）に嵌合されていることを特徴とする請求項１〜４の何れかに記載の遊技機。
【発明の詳細な説明】
【技術分野】
【０００１】
本発明は、パチンコ機、スロットマシン等の遊技機に関し、可動演出体を原点位置で正確に停止し固定できるようにしたものである。
【背景技術】
【０００２】
パチンコ機等の弾球遊技機は、遊技盤の遊技領域の略中央部に、特別図柄を可変表示する特別図柄表示手段と、複数個の演出図柄を可変表示する画像表示部を備えた画像表示手段と、各種の入賞手段とを配置すると共に、遊技球の落下方向に変化を与える遊技釘、風車等を配置している。
【０００３】
この種の弾球遊技機では、画像表示手段の画像表示部を外周側から保持する保持枠の前側に可動演出体を配置し、遊技中に画像表示部に所定の演出画像を表示する一方、特別図柄表示手段の特別図柄の変動後の特別図柄が大当たり態様で停止する場合に、特別図柄の変動中に可動演出体を退避位置から演出位置へと作動させて、画像表示部の演出画像と可動演出体の作動とにより大当たり態様での停止を予告する等、特定の遊技状態を視覚的に演出するようにしたものがある（特許文献１）。
【０００４】
風車には前後方向の支軸廻りに回転する羽根車を所定位置に停止させる固定手段として、羽根車側と、この羽根車を支持する固定側との一方に磁石を、他方に磁性体を夫々設けておき、羽根車が所定位置に位置したときに磁石が磁性体を吸引して、羽根車を所定位置に停止させるようにしたものがある（特許文献２）。
【特許文献１】特開２００６−２９６８３７号公報
【特許文献２】特開２００２−１５９６５５号公報
【発明の開示】
【発明が解決しようとする課題】
【０００５】
可動演出体による演出形態を採用する場合、演出動作後に原点位置で停止すべき可動演出体の停止位置にバラツキが生じたり、原点位置側で停止後も可動演出体が不安定に振動したりすれば、遊技者に与える印象が非常に悪くなり、また次の演出動作で可動演出体を作動させる際の制御上も問題がある。
【０００６】
しかし、実際の機械には可動演出体、その他の加工精度、取り付け精度に限界があること、駆動手段その他の機構部分のガタや遊びがあること等から、それらに起因して可動演出体が原点位置からずれて停止し、また停止後も不安定に振動する等の可能性がある。
【０００７】
近年の可動演出体は大型化の一途を辿り、しかも可動演出体の動きも複雑になる傾向にあるため、可動演出体を原点位置で正確に停止させる必要がある。特に可動演出体を支持する支持枠自体が移動する構造の場合には、支持枠が移動する際には可動演出体が不安定に振動又は揺動するため、可動演出体を支持枠に対して原点位置で確実に固定しておく必要がある。
【０００８】
この可動演出体の原点位置での停止、固定対策として、従来の風車と同様に磁石式のものを採用することも考えられる。しかし、風車の磁石式の固定手段は、羽根車の回転中心の近傍に磁石、磁性体を配置しているため、風車に比較して形状的に非常に大型である可動演出体の場合には、磁石と磁性体との吸引力では可動演出体を原点位置に確実に固定できない。従って、大型の可動演出体の停止、固定対策としてそのまま採用することはできない。
【０００９】
本発明は、このような従来の問題点に鑑み、小型の可動演出体は勿論のこと、大型の可動演出体であっても、その可動演出体を原点位置で正確に停止させて確実に固定できる遊技機を提供することを目的とする。
【課題を解決するための手段】
【００１０】
本発明は、可動演出体２４，２６と、該可動演出体２４，２６を支持する支持枠１９，２６と、前記可動演出体２４，２６を駆動する駆動手段４５，８７，１２０，１２３とを備えた遊技機において、前記可動演出体２４，２６と前記支持枠１９，２６との一方に磁性体６８を、他方に前記磁性体６８を吸引して前記可動演出体２４，２６を原点に固定する磁石６９を夫々設け、前記磁性体６８及び前記磁石６９は前記可動演出体２４，２６を前記支持枠１９，２６に支持する支持部２５よりも前記可動演出体２４，２６の遊端側に配置したものである。
【発明の効果】
【００１１】
本発明によれば、小型の可動演出体２４，２６は勿論のこと、大型の可動演出体２４，２６であっても、その可動演出体２４，２６を原点位置で正確に停止させて確実に固定できる利点がある。
【発明を実施するための最良の形態】
【００１２】
以下、本発明の実施形態を図面に基づいて詳述する。図１〜図１１は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジにより縦軸廻りに開閉自在に枢支されている。
【００１３】
前面板６の前側には発射用の遊技球を貯留する球供給皿７と、余剰球を受ける受け皿８とが上下に配置され、その受け皿８の側方に遊技球を発射する発射手段（図示省略）の発射ハンドル９が設けられている。ガラス扉５の裏側には、このガラス扉５に対応するように前枠４に遊技盤１０が着脱自在に装着されている。
【００１４】
遊技盤１０の前面には、発射手段から発射された遊技球を案内するガイドレール１１が略円弧状に配置されると共に、そのガイドレール１１の内側の遊技領域１２に画像表示手段１３、普通図柄始動手段１４、特別図柄始動手段１５、大入賞手段１６、普通入賞手段１７等の各種の遊技部品が配置されている。なお、遊技領域１２はガラス扉５の窓孔１８に対応している。
【００１５】
画像表示手段１３は遊技領域１２の略中央に配置されており、図２、図３に示すように遊技盤１０の裏面に装着された保持枠１９と、この保持枠１９の略中央に配置された液晶式等の画像表示部２０と、遊技盤１０の前面に装着され且つ画像表示部２０の外周を前側から覆う前飾り体２１とを備えている。前飾り体２１の前面に普通図柄表示手段２２と特別図柄表示手段２３が夫々設けられている。なお、画像表示手段１３は保持枠１９と前飾り体２１とを一体に結合して、遊技盤１０に前側から装着してもよい。
【００１６】
保持枠１９と前飾り体２１との間には、図２〜図４に示すように、左右方向に配置された第１可動演出体２４と、この第１可動演出体２４の裏側に左右方向に配置され且つ略中央の支持部２５を介して第１可動演出体２４を支持する第２可動演出体２６と、画像表示部２０の左右両側に配置され且つ第２可動演出体２６の両端を同一方、逆方向に昇降駆動自在に支持する昇降支持手段２７とが設けられている。可動演出体２４，２６は昇降支持手段２７の駆動により、図４に示すように画像表示部２０の上側の退避位置Ｘと、画像表示部２０の上下中間の前側の演出位置Ｙとの間で昇降自在である。
【００１７】
普通図柄表示手段２２は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１８】
特別図柄表示手段２３は、発光部位の変化等で特別図柄を変動表示可能なセグメント式等の表示手段により構成されており、特別図柄始動手段１５が遊技球を検出することを条件に特別図柄を所定時間変動表示して、特別図柄始動手段１５の遊技球の検出時に抽選された乱数値が予め定められた大当たり乱数値と一致した場合に所定の大当たり態様で、それ以外の場合に外れ態様で停止するようになっている。
【００１９】
画像表示部２０は矩形状その他の形状であって、遊技中は演出図柄２０ａ〜２０ｃとその背景画像（図示省略）とが表示され、また特定の遊技状態の場合には可動演出体２４，２６の演出動作と同期して稲妻等の予告演出画像２８（図１１参照）が表示される
演出図柄２０ａ〜２０ｃは画像表示部２０の適当な位置に複数個、例えば３個表示され、その各演出図柄２０ａ〜２０ｃは特別図柄表示手段２３の特別図柄の変動に同期して変動を開始し、所定の変動パターンを経て所定時間変動した後、特別図柄の変動終了に同期して所定の順序で順次停止する。この演出図柄２０ａ〜２０ｃの変動後の停止図柄は、特別図柄表示手段２３の特別図柄が大当たり態様で停止する場合には全てが揃う大当たり演出態様となり、特別図柄が外れ態様で停止する場合には少なくとも一部が異なる外れ演出態様となる。
【００２０】
例えば、演出図柄２０ａ〜２０ｃには０〜９までの数字図柄が使用されており、特別図柄が大当たり態様で停止する場合には演出図柄２０ａ〜２０ｃは「７・７・７」等の大当たり演出態様で停止し、特別図柄が外れ態様で停止する場合には演出図柄２０ａ〜２０ｃは「２・４・５」等の外れ演出態様で停止する。
【００２１】
特別図柄始動手段１５は固定式入賞口２９と電動チューリップ等の可変式入賞口３０とを上下に備えている。可変式入賞口３０は普通図柄表示手段２２の変動後の普通図柄が当たり態様を停止表示したときに所定時間開放するようになっている。
【００２２】
保持枠１９は図２、図３に示すように遊技盤１０の裏側に当接する周壁部３１と、この周壁部３１の後端側の背壁部３２とを備えた凹入状であって、その背壁部３２に画像表示部２０が裏側から装着されている。
【００２３】
前飾り体２１は遊技盤１０の前面に当接する前飾り板３４と、この前飾り板３４から前側に突出し且つ画像表示部２０側への遊技球の侵入を阻止する略門形状の突出飾り枠３５とを有し、保持枠１９に対応して遊技盤１０の前面に装着されている。保持枠１９と前飾り体２１間には所定の空間３６があり、その空間３６に第１可動演出体２４、第２可動演出体２６、昇降支持手段２７が配置されている。
【００２４】
第１可動演出体２４は飛行機の正面形状を模した横長形状であって、図２〜図４に示すように、正面視において左右方向の略中央に配置され且つ機首部に相当する主体部３８と、この主体部３８から左右両側に突出する翼部３９とを有し、その後端は第２可動演出体２６の前側に近接して略平行になっている。
【００２５】
主体部３８は図５、図６に示すように裏側に開口する中空状であり、前面側の左右両側に発光窓４０を有し、内部に支持部材４１が固定されている。支持部材４１は主体部３８内のボス部４２等に裏側から着脱自在に固定され、発光窓４０に裏側から対応する発光部４３を有する。
【００２６】
第１可動演出体２４は左右方向の略中央の支持部２５を基準に左右の重量が略平衡しており、左右方向の略中央に配置された前後方向の支軸４４により第２可動演出体２６に揺動（又は回動）自在に支持され、揺動駆動手段４５の駆動により支軸４４廻りに往復揺動（又は回動）自在である。そして、この第１可動演出体２４は通常時には左右の翼部３９が略水平となる原点位置で磁石式の固定手段４６により第２可動演出体２６に対して固定可能である。
【００２７】
第２可動演出体２６は第１可動演出体２４を支持する支持枠を兼用するものであって、図７に示すように、左右方向の略中央には上下両側に円弧状に膨出する支承部４８が、この支承部４８の両側下部に翼部３９に対応する腕部４９が夫々設けられ、第１可動演出体２４の裏側で左右方向に配置されている。
【００２８】
第２可動演出体２６には、図５〜図７に示すように、支承部４８の前側にボス部５０を介して所定の間隔で円形状の取り付け台５１が固定され、この取り付け台５１と第２可動演出体２６とに跨がって前後方向の支軸４４が挿通され、また取り付け台５１に揺動駆動手段４５が固定されている。なお、揺動駆動手段４５はステッピィングモータ等の駆動モータにより構成されている。
【００２９】
支軸４４は第１可動演出体２４の支持部２５を構成し、取り付け台５１から前側に突出する前端部に第１可動演出体２４の支持部材４１が固定されている。取り付け台５１は支持部材４１の凹部５３内に嵌合しており、この取り付け台５１の裏側で支軸４４の一側方に揺動駆動手段４５が固定されている。揺動駆動手段４５は前側に突出する回転軸５４を有し、この回転軸５４に固定された駆動ギヤー５５と、この駆動ギヤー５５に噛合し且つ支軸４４に固定された従動ギヤー５６とを介して第１可動演出体２４を支軸４４廻りに正逆方向に駆動可能である。
【００３０】
従動ギヤー５６には突起５７が設けられ、また第２可動演出体２６と取り付け台５１との間に、突起５７を介して第１可動演出体２４の揺動又は原点位置を検出する非接触型のセンサ５８が設けられている。取り付け台５１、駆動ギヤー５５、従動ギヤー５６、センサ５８等は主体部３８内に配置されている。揺動駆動手段４５は第２可動演出体２６及びその裏板５９の通孔６０に嵌合され、その後端は裏板５９から後方に突出しないように略面一状である。
【００３１】
取り付け台５１の前側には円形状の発光基板６１が設けられている。発光基板６１には支軸４４の周りに周方向に複数個の発光素子６２が装着され、その発光素子６２により支持部材４１を介して主体部３８の中央部に裏側から光を照射して、その中央部を発光させるようになっている。
【００３２】
第２可動演出体２６は少なくとも前壁部６３が光透過性を有し、前壁部６３の裏側に発光基板６４、モータ制御基板６５が装着され、裏側から裏板５９により覆われている。発光基板６４には複数個の発光素子６６が装着され、この発光素子６６により前壁部６３を介して第１可動演出体２４の発光部４３に裏側から光を照射して、その発光部４３を発光させるようになっている。なお、前壁部６３には、発光基板６４の発光素子６６と発光部４３との間に凸レンズ部６７が設けられている。裏板５９はネジ等により前壁部６３に固定されている。
【００３３】
固定手段４６は通常時には左右の翼部３９が略水平となる原点位置で第１可動演出体２４を固定するためのもので、図８、図９に示すように、第２可動演出体２６に設けられた板状の鉄片６８と、第１可動演出体２４に設けられ且つ鉄片６８を吸引して第１可動演出体２４を固定する磁石６９とを備えている。この固定手段４６は支軸４４よりも第１可動演出体２４の遊端側、例えば主体部３８から離れた翼部３９等に配置されている。
【００３４】
なお、磁石６９による鉄片６８の吸引力は、揺動駆動手段４５による第１可動演出体２４の支軸４４周りの駆動を許容し、第２可動演出体２６の作動状態時には不安定に振動等をしないように第１可動演出体２４を固定する程度となっている。また磁石６９を第２可動演出体２６に、鉄片６８を第１可動演出体２４に夫々設けてもよい。
【００３５】
磁石６９と鉄片６８は第１可動演出体２４の作動方向（上下方向）と略直交方向である前後方向に所定の間隔で相対向して配置されている。磁石６９は前後方向に偏平な正面視円形状で、その前後両側に磁極が設けられている。この磁石６９は第１可動演出体２４の裏面側に形成された凹部７２内に嵌合され、支持部材４１の先端に形成された押え部７３が裏側から当接している。押え部７３は合成樹脂製等の非磁性材製であるが、磁性材であってもよい。
【００３６】
鉄片６８は板面側端面７４が第１可動演出体２４の作動方向及び前後方向に対して略直交し且つ板厚側端面７５が磁石６９と前後に対向して配置されている。即ち、鉄片６８は略矩形状の本体部７６と、この本体部７６の略中央から前側の磁石６９側に突出する突出部７７と、この突出部７７の両側で本体部７６の前端に形成された肩部７８とを有し、その板面側端面７４を上下にして配置されている。
【００３７】
そして、鉄片６８の本体部７６は前壁部６３の裏側に形成された左右一対のコ字状の保持部７９に裏側から挿入され、突出部７７は前壁部６３の通孔８０に嵌合され、また肩部７８が前壁部６３に裏側から当接され、本体部７６の後端部が裏板５９の凹部８１に嵌合されている。突出部７７の前端は前壁部６３の前面と略面一状である。なお、左右の保持部７９を鉄片６８の上下両側で左右に連結して凹部を形成してもよい。
【００３８】
各昇降支持手段２７は、図４、図７に示すように、画像表示部２０の側方に上下方向に配置された前後一対の支持板８３と、この支持板８３間に上下方向に配置された案内棒８４と、この案内棒８４により上下方向に摺動自在に支持された昇降体８５と、支持板８３間に配置され且つ昇降体８５を連動機構８６を介して上下方向に駆動する昇降駆動手段８７とを備え、その昇降体８５にヒンジ１０６を介して第２可動演出体２６の端部が連結されている。
【００３９】
案内棒８４、昇降駆動手段８７は一対の支持板８３の一方に固定されている。昇降駆動手段８７はステッピングモータ等の駆動モータにより構成され、連動機構８６の下側に配置されている。連動機構８６は上下に配置された駆動案内輪８８及び従動案内輪８９と、この両案内輪８８，８９に巻き掛けられたベルト等の巻き掛け体９０とを備え、その巻き掛け体９０に昇降体８５が連結されている。
【００４０】
左右の連動機構８６の内、一方の連動機構８６では昇降駆動手段８７の回転軸９１に駆動案内輪８８が固定され、また他方の連動機構８６では昇降駆動手段８７の回転軸９１に駆動ギヤー９２が固定され、その駆動ギヤー９２に噛合する従動ギヤー９３が下側の駆動案内輪８８と一体に回転するようになっている。従って、昇降駆動手段８７が同一方向に回転したときには、左右の昇降体８５は逆方向に昇降する。
【００４１】
左右一対のヒンジ１０６は昇降体８５に第２可動演出体２６の端部を上下方向に揺動自在に枢支する枢軸９４を有し、また一方のヒンジ１０６には枢軸９４を摺動自在に案内する長孔９５が設けられている。なお、枢軸９４は昇降体８５に固定され、長孔９５は第２可動演出体２６に設けられているが、逆に設けてもよい。また第２可動演出体２６の長手方向に摺動自在な摺動継ぎ手を設け、この摺動継ぎ手を枢軸９４を介して第２可動演出体２６又は昇降体８５に摺動自在に取り付けてもよい。
【００４２】
図１０はパチンコ機の制御系を示す。パチンコ機の制御系は主制御基板９６と演出制御基板９７とを備えている。主制御基板９６はパチンコ機全体の遊技動作の制御を司るもので、普通図柄始動手段１４が遊技球を検出したときに乱数値を抽選して当たりか否かを判定し、当たりの場合に普通図柄表示手段２２の変動後の普通図柄が当たり態様で停止した後に特別図柄始動手段１５の可変式入賞口３０を所定時間開放させる普通図柄系制御手段９８の他に、乱数抽選手段９９、判定手段１００、特別図柄制御手段１０１、停止態様決定手段１０２、変動パターン決定手段１０３、コマンド送信手段１０４、特別遊技発生手段１０５を備えている。
【００４３】
乱数抽選手段９９は特別図柄始動手段１５が遊技球を検出したときに乱数値を抽選し、判定手段１００は乱数抽選手段９９で抽選された乱数値を大当たり乱数値と照合して大当たりか否かを判定するようになっている。特別図柄制御手段１０１は特別図柄始動手段１５の遊技球の検出を契機に特別図柄表示手段２３の特別図柄を所定時間変動させて、判定手段１００の判定結果が大当たりのときに大当たり態様で、外れのときに外れ態様で夫々停止すべく特別図柄を制御するようになっている。
【００４４】
停止態様決定手段１０２は判定手段１００の判定結果が大当たりのときに演出図柄２０ａ〜２０ｃの停止態様を抽選し決定するためのものである。変動パターン決定手段１０３は判定手段１００の判定結果が大当たりのときの大当たり変動パターンを、外れのときの外れ変動パターンを抽選し決定するためのものであり、判定手段１００の判定結果に応じて予め定められた複数種類の大当たり変動パターン、外れ変動パターンの中から、そのときの演出図柄２０ａ〜２０ｃの変動に供する１つの変動パターンを選択し決定するようになっている。
【００４５】
大当たり変動パターン、外れ変動パターンには変動時間の長短、演出図柄２０ａ〜２０ｃの変動中のリーチの有無等に応じて夫々複数の種類のものがある。例えば、大当たり変動パターンには変動時間の違いによって大当たり変動パターン１、大当たり変動パターン２、大当たり変動パターン３、・・・等のように複数種類のパターンが準備されており、また外れ変動パターンには変動時間の違い、リーチの有無によってリーチあり外れ変動パターン１、リーチあり外れ変動パターン２、リーチなし外れ変動パターン１、リーチなし外れ変動パターン２、・・・等のように多種類（複数種類）のパターンが準備されている。
【００４６】
なお、一般的にリーチあり外れ変動パターンはリーチなし外れ変動パターンに比較して変動時間が長く、またリーチあり外れ変動パターンの一部である１種類又は複数種類は、大当たり変動パターンの変動時間に近い変動時間を有するものがある。また変動時間の長い変動パターンの場合には、変動時間の短いリーチあり変動パターン、リーチなし変動パターンに比較して出現率は低いが、変動後に特別図柄が大当たり態様となる信頼度が大になっている。
【００４７】
特別図柄制御手段１０１は特別図柄始動手段１５の遊技球の検出を契機に特別図柄表示手段２３の特別図柄を変動させて、変動パターン決定手段１０３で決定された変動パターンの変動時間に従って変動した後に、判定手段１００の大当たり、外れの判定結果に応じて特別図柄を大当たり態様、外れ態様の何れかで停止させるようになっている。コマンド送信手段１０４は停止態様決定手段１０２で決定された停止態様コマンド、変動パターン決定手段１０３で決定された変動パターンコマンド、各変動パターン毎の変動停止コマンドを演出制御基板９７側へと一方向通信により送信するようになっている。
【００４８】
特別遊技発生手段１０５は判定手段１００が大当たりと判定した場合に、特別図柄が大当たり態様で停止した後に遊技者に有利な特別遊技（大当たり遊技）を発生させるためのもので、例えば大入賞手段１６を所定時間ずつ複数回開放させるようになっている。なお、特別遊技での大入賞手段１６の開閉パターン等は適宜決定することが可能である。また特別遊技では大入賞手段１６の開放に加えて、又は大入賞手段１６の開放とは別に、特別図柄の大当たり態様の種類を条件に大当たりの抽選確率を変える確率変動、その他の遊技者に有利な要素を付加してもよい。
【００４９】
演出制御基板９７には主制御基板９６から送信される各コマンドを解析して画像表示手段１３の画像表示部２０に表示される演出図柄２０ａ〜２０ｃ、背景画像、予告演出画像２８を制御し、また第１可動演出体２４、第２可動演出体２６の可動演出、発光部４３の発光演出を制御するためのもので、コマンド受信手段１０７、演出図柄制御手段１０８、予告演出決定手段１０９、演出画像制御手段１１０、可動演出制御手段１１１、発光演出制御手段１１２等を備えている。
【００５０】
コマンド受信手段１０７はコマンド送信手段１０４から演出制御基板９７側に送信される各コマンドを受信して解析するためのものである。演出図柄制御手段１０８は主制御基板９６からの変動パターンコマンドに従って特別図柄表示手段２３の特別図柄の変動に同期して演出図柄２０ａ〜２０ｃを所定の変動パターンで所定時間変動させて、停止コマンドがあったときに演出図柄２０ａ〜２０ｃを大当たり演出態様又は外れ演出態様で停止させるようになっている。なお、３個の演出図柄２０ａ〜２０ｃは、特別図柄が大当たり態様で停止する場合には全てが揃うように停止態様コマンドで指定された停止態様で停止し、それ以外の場合にはリーチの有無に応じて演出図柄制御手段１０８側で選択された停止態様で停止する。
【００５１】
予告演出決定手段１０９は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。
【００５２】
演出画像制御手段１１０は変動パターンコマンドに従って複数種類の背景画像の何れかを選択して、画像表示部２０に表示される演出図柄２０ａ〜２０ｃの背景画像を制御し、また予告演出決定手段１０９が予告演出を決定した場合には演出図柄２０ａ〜２０ｃがリーチになった後に、可動演出体２４，２６側の可動演出、発光演出に同期して、画像表示部２０に表示される予告演出画像２８を制御するようになっている。
【００５３】
可動演出制御手段１１１は駆動手段４５、８７の制御により可動演出体２４，２６の可動演出を制御するためのもので、例えば予告演出決定手段１０９が予告演出を決定して演出図柄２０ａ〜２０ｃがリーチになった後に、所定の予告演出パターンに従って各駆動手段４５，８７を正転、逆転制御するようになっている。
【００５４】
予告演出には１種類、又は予告演出パターン１、予告演出パターン２、・・・等の複数種類の予告演出パターンがある。また特別遊技演出にも１種類又は特別遊技演出パターン１、特別遊技演出パターン２、・・・等の複数種類の特別遊技演出パターンがある。
【００５５】
これらの各演出パターンは、退避位置Ｘと画像表示部２０の前側の演出位置Ｙとの間で第２可動演出体２６が昇降する昇降動作、演出位置Ｙで第２可動演出体２６の左右の一方が昇降して第２可動演出体２６が傾斜する傾斜動作、第１可動演出体２４が第２可動演出体２６に対して支軸４４廻りに正転、逆転する揺動動作とを組み合わせて構成されている。可動演出制御手段１１１は複数の予告演出パターンがある場合には、その何れか１を抽選してそれに従って各駆動手段４５，８７を制御する。
【００５６】
なお、特別遊技発生手段１０５による特別遊技が発生した場合にも、特別遊技発生中に可動演出体２４，２６を作動させて特別遊技演出を行うようにしてもよい。
【００５７】
発光演出制御手段１１２は発光部４３等の発光演出のときに発光素子６２，６６を点灯又は点滅制御するもので、予告演出決定手段１０９が予告演出を決定して演出図柄２０ａ〜２０ｃがリーチになった後に、可動演出体２４，２６の可動演出に同期して発光素子６２，６６を点灯又は点滅制御するようになっている。
【００５８】
このパチンコ機では、遊技中に次のような制御並びに演出を行う。即ち、特別図柄始動手段１５が遊技球を検出すると、乱数抽選手段９９が乱数値を抽選し、その乱数値が大当たり乱数値と同じであるか否かにより判定手段１００が大当たりか否かの判定を行う。そして、判定結果が大当たりであれば、停止態様決定手段１０２が演出図柄２０ａ〜２０ｃの停止態様を決定する。また判定結果が大当たりであれば、変動パターン決定手段１０３が複数種類の大当たり変動パターンの何れかを選択し、外れであれば変動パターン決定手段１０３が複数種類の外れ変動パターンの何れかを選択する。
【００５９】
続いて特別図柄表示手段２３の特別図柄が変動を開始し、変動パターン決定手段１０３で選択された変動パターンにより指定された変動時間変動した後に、判定手段１００での大当たり、外れの判定結果に応じて大当たり態様、外れ態様の何れかで停止する。そして、判定手段１００が大当たりと判定した場合には、特別図柄が大当たり態様で停止した後に、特別遊技発生手段１０５による特別遊技が発生して大入賞手段１６が複数回開放する等、遊技者は有利な状態で遊技を継続できる。
【００６０】
一方、停止態様決定手段１０２が演出図柄２０ａ〜２０ｃの停止態様を決定し、変動パターン決定手段１０３が演出図柄２０ａ〜２０ｃの変動パターンを決定すると、コマンド送信手段１０４が演出制御基板９７側へと夫々のコマンドを送信する。演出制御基板９７側では、コマンド受信手段１０７が変動パターンコマンドを受信すると、演出図柄制御手段１０８の制御により特別図柄の変動開始に同期して演出図柄２０ａ〜２０ｃが変動を開始し、その変動パターンに従って所定時間変動する。そして、各演出図柄２０ａ〜２０ｃは左、右、中等の順序で停止状態に近い揺れ変動に移行し、停止コマンドに従って大当たり演出態様、外れ演出態様の何れかで最終的に停止する。また遊技中は演出画像制御手段１１０の制御により、演出図柄２０ａ〜２０ｃの背景画像が表示される。
【００６１】
判定手段１００の大当たりの判定により変動パターン決定手段１０３が大当たり変動パターンの何れかを選択した場合、又は大当たり変動パターンの変動時間に近い特定のリーチあり外れ変動パターンの何れかを選択した場合には、予告演出決定手段１０９が予告演出を行うか否かを決定する。
【００６２】
そして、予告演出決定手段１０９が予告演出を決定すれば、演出図柄２０ａ〜２０ｃがリーチになった後に、各可動演出体２４，２６による可動演出、発光部４３等による発光演出、及び画像表示部２０の予告演出画像２８による画像演出との組み合わせにより予告演出を行う。
【００６３】
即ち、可動演出体２４，２６は通常は図１１（Ａ）に示すように退避位置Ｘにある。そして、３個の演出図柄２０ａ〜２０ｃが所定の変動パターンで変動する間に、図１１（Ｂ）に示すように１個の演出図柄２０ｂを除く他の演出図柄２０ａ，２０ｃが揃うリーチになれば、可動演出制御手段１１１が何れかの予告演出パターンに従って各駆動手段４５，８７を制御して可動演出を行う。
【００６４】
例えば、左右の昇降支持手段２７の各昇降駆動手段８７が同方向に起動すると、固定手段４６により第１可動演出体２４を略平行に固定した状態で第２可動演出体２６が退避位置Ｘから演出位置Ｙへと下降し、次いで揺動駆動手段４５が起動して、図１１（Ｂ）に示す実線と仮想線との間で第１可動演出体２４が第２可動演出体２６に対して支軸４４廻りに揺動する可動演出を行う。
【００６５】
このとき第２可動演出体２６が演出位置Ｙに下降しており、しかも揺動駆動手段４５によりギヤー５５，５６を介して第１可動演出体２４を支軸４４廻りに駆動するようになっているため、図１１（Ｄ）に示すように各昇降駆動手段８７を交互に逆方向に起動させて第２可動演出体２６を揺動させる場合に比較して、第１可動演出体２４を支軸４４廻りに大きく揺動させることができる。
【００６６】
なお、第２可動演出体２６が演出位置Ｙまで下降したときに、第１可動演出体２４が他の部材と干渉する惧れがなければ、必要に応じて第１可動演出体２４を支軸４４廻りに１〜２回転させる等、９０度以上回転させることも可能である。
【００６７】
この可動演出体２４，２６による可動演出に同期して、図１１（Ｃ）に示すように発光演出制御手段１１２の制御により第１可動演出体２４の発光部４３等が発光し、また演出画像制御手段１１０の制御により画像表示部２０が稲妻等の所定の予告演出画像２８を表示する。従って、各可動演出体２４，２６による可動演出と、発光部４３等による発光演出と、予告演出画像２８による画像演出とが一体となって一つの纏まりのある予告演出を行うため、可動演出体２４，２６による演出効果が著しく向上する。なお、図１１（Ｃ）では発光部４３等の発光状態を斜線で示す。
【００６８】
なお、特別遊技発生手段１０５による特別遊技が発生すれば、図１１（Ｄ）に示すように第２可動演出体２６が演出位置Ｙへと下降して、第１可動演出体２４を略平行に保持した状態のままで第２可動演出体２６が左上がり、右上がりに傾斜する等の特別遊技演出を行うようにしてもよい。また第２可動演出体２６による可動演出に同期して、図１１（Ｃ）と同様に発光演出制御手段１１２の制御により第１可動演出体２４の発光部４３等を発光させてもよい。
【００６９】
通常時には第１可動演出体２４は固定手段４６の磁石６９と鉄片６８との間に発生する吸引力により第２可動演出体２６と略平行な状態に固定されている。このため昇降駆動手段８７の駆動により第２可動演出体２６が昇降又は揺動しても、その昇降又は揺動に伴って第１可動演出体２４が不安定に揺動する等の問題はなく、第１可動演出体２４を第２可動演出体２６に対する原点位置で確実に固定することができる。
【００７０】
揺動駆動手段４５が正転又は逆転方向に起動すると、回転軸５４、駆動ギヤー５５、従動ギヤー５６を介して第１可動演出体２４が正転又は逆転方向に駆動され、第１可動演出体２４が固定手段４６の磁石６９と鉄片６８との間の吸引力に抗して支軸４４廻りに所定角度揺動する。従って、固定手段４６で第１可動演出体２４を第２可動演出体２６に固定しているにも拘わらず、必要に応じて揺動駆動手段４５により第２可動演出体２６に対して第１可動演出体２４を支軸４４廻りに容易に正転又は逆転させることができる。
【００７１】
その後、第１可動演出体２４が原点位置に復帰したときに揺動駆動手段４５が停止すると、揺動駆動手段４５と第１可動演出体２４との間に多少の遊びがあっても、固定手段４６により第１可動演出体２４を原点位置で確実に停止させて固定することができる。また固定手段４６を構成する磁石６９、鉄片６８は第１可動演出体２４の端部にあって支持部２５を構成する支軸４４から大きく離れており、しかも第１可動演出体２４の重量が支軸４４の左右両側で略平衡しているため、比較的弱い吸引力の磁石６９を使用しながらも第１可動演出体２４を確実に固定することができる。
【００７２】
また磁石６９と鉄片６８は第１可動演出体２４の揺動方向（作動方向）と略直交方向に対向して配置されており、その磁石６９には対向側の端面に一方の磁極が設けられ、また鉄片６８は板面側端面７４が作動方向及び略直交方向に対して略直交し且つ板厚側端面７５が磁石６９と対向して配置されているため、鉄片６８の板面側端面７４が磁石６９と対向する場合に比較して、固定手段４６による固定時の位置決め精度が向上する上に、設計に際しての鉄片６８と磁石６９との距離や、鉄片６８の形状等の検証も容易になる。
【００７３】
更に磁石６９は第１可動演出体２４の裏面側に形成された凹部７２内に嵌合され裏側から当接する非磁性材製の押え部７３により保持されており、一方、鉄片６８は第２可動演出体２６の保持部７９に裏側から嵌合する本体部７６と、この本体部７６の略中央から磁石６９側へと前方に突出し且つ第２可動演出体２６の前壁部６３に形成された通孔８０に嵌合する突出部７７と、この突出部７７の側方で本体部７６の前端に形成され且つ前壁部６３に裏側から当接する肩部７８とを有し、本体部７６の後端が第２可動演出体２６の裏板５９の凹部８１に嵌合されているため、磁石６９及び鉄片６８を各可動演出体２４，２６に簡単な構造で容易に取り付けることができる。
【００７４】
また小さい磁石６９を第１可動演出体２４に、磁石６９に大きい鉄片６８を第２可動演出体２６に夫々設けているため、磁石６９式の固定手段４６を第１可動演出体２４の先端部に配置しているにも拘わらず、第１可動演出体２４の左右の重量的な平衡度に対する影響を最小限に抑えることができる。
【００７５】
可動演出時には第２可動演出体２６の前側で第１可動演出体２４が支軸４４廻りに揺動する他、左右の昇降駆動手段８７の駆動により第２可動演出体２６の両端部が同一方向又は逆方向に昇降して、第２可動演出体２６を略水平状態で昇降させたり任意の方向に傾斜させたりすることができるので、両可動演出体２４，２６の動きを組み合わせて複雑な可動演出を行うことができる。
【００７６】
例えば、各昇降支持手段２７の昇降駆動手段８７が同一の正転方向に起動すると、各巻き掛け体９０が逆方向に回動して昇降体８５が案内棒８４に沿って退避位置Ｘから演出位置Ｙへと移動し、可動演出体２４，２６を略水平に保ちながら下降させることができる。また演出位置Ｙで各昇降駆動手段８７を逆転方向に起動すると、各昇降体８５が上昇して可動演出体２４，２６を退避位置Ｘへと戻すことができる。これにより可動演出体２４，２６を一体に昇降させる可動演出が可能である。このとき第１可動演出体２４は原点位置にあれば、固定手段４６により第２可動演出体２６に固定されているが、支軸４４廻りに左上がり、右上がりに傾斜させたり、左上がりと右上がりとの間で往復揺動させてもよい。
【００７７】
また演出位置Ｙで両昇降支持手段２７の昇降駆動手段８７が逆方向に起動すると、各昇降体８５が逆方向に昇降して、その各昇降体８５に枢軸９４を介して連結された第２可動演出体２６が図１１（Ｄ）に示すように左上がり（又は右上がり）に傾斜させることができる。
【００７８】
この場合、第２可動演出体２６の両端部は枢軸９４を有するヒンジ１０６を介して各昇降体８５に枢支されているが、一方のヒンジ１０６には枢軸９４が嵌合する長孔９５があり、第２可動演出体２６の傾斜時にこの長孔９５内で枢軸９４が摺動するので、簡単な構造で第２可動演出体２６を無理なく円滑に傾斜させることができる。また他方のヒンジ１０６には長孔９５がなく、枢軸９４で第２可動演出体２６と昇降体８５とを枢着しているため、この枢軸９４を基準に第２可動演出体２６を揺動させることができ、第２可動演出体２６の位置的な安定性を向上させることができる。
【００７９】
なお、第２可動演出体２６が揺動する際に、第１可動演出体２４は固定手段４６により固定しておいてもよいし、支軸４４廻りに第２可動演出体２６と同方向に揺動させるか、逆方向に揺動させてもよい。
【００８０】
図１２は本発明の第２の実施例を例示する。この実施例では、第１可動演出体２４と第２可動演出体２６との両方に磁石６９，１１５が対向して設けられている。第２可動演出体２６側の磁石１１５は前壁部６３の裏側の保持部７９に嵌合され、裏板５９の押え部１１６で裏側から押えられている。各磁石６９，１１５は対向側に異なる磁極を有し、両者が対応したときに互いに吸引し合うようになっている。なお、他の構成は第１の実施例と同様である。
【００８１】
このように固定手段４６を採用するに当たって、第１可動演出体２４に磁石６９を設ける場合でも、第２可動演出体２６に鉄片６８に代替して磁石１１５を設けてもよい。従って、固定手段４６は、両可動演出体の何れか一方に磁石６９を、他方に磁性体を夫々設ければ十分である。
【００８２】
図１３、図１４は本発明の第３の実施例を例示する。この実施例では、第１可動演出体２４には、この第１可動演出体２４の長手方向（この実施例では左右方向）に長い棒磁石６９等が使用され、その両端にＮ極、Ｓ極の磁極が設けられている。
【００８３】
第２可動演出体２６の鉄片６８は、本体部７６の両端に、磁石６９の各磁極に対応する突出部７７を有し、その突出部７７が第２可動演出体２６の前壁部６３の通孔８０に挿入されている。鉄片６８の本体部７６は裏板５９の凹部８１に嵌合して裏側から押圧され、前面が前壁部６３の裏側に当接している。なお、突出部７７は鉄片６８の板厚側端面７５で磁石６９に対向する等、他の構成は第１の実施例と同様である。
【００８４】
この場合にも磁石６９と鉄片６８との間で磁路が形成され、磁石６９と鉄片６８とにより第１可動演出体２４を原点位置で第２可動演出体２６に固定することができる。従って、このように両端に磁極を有する磁石６９を第１可動演出体２４の長手方向に沿って配置し、その各磁極に対応するように鉄片６８を第２可動演出体２６に設けてもよい。
【００８５】
図１５、図１６は本発明の第４の実施例を例示する。この実施例では、揺動式の第２可動演出体２６の先端部に第１可動演出体２４が往復回動自在に設けられ、その第１可動演出体２４を原点位置で第２可動演出体２６に固定する第１固定手段４６と、第２可動演出体２６を退避位置Ｘである原点位置で画像表示手段１３の保持枠１９に固定する第２固定手段１１８とが設けられている。
【００８６】
第２可動演出体２６は棒状等であって、その基部が支軸１１９により画像表示部２０の外側で保持枠１９に枢支され、ソレノイド等の昇降駆動手段１２０により画像表示部２０の上側の退避位置Ｘと画像表示部２０の前面側の演出位置Ｙとの間で上下方向に出退自在である。なお、昇降駆動手段１２０にはステッピングモータ等を用いてもよい。
【００８７】
第１可動演出体２４は円形状、その他の形状であって、前面には発光式の演出表示部１２１が設けられている。第１可動演出体２４の裏側には、演出表示部１２１を発光させるための発光素子１２９を備えた発光基板１３０が配置され、この発光基板１３０は第２可動演出体２６に固定されている。
【００８８】
第１可動演出体２４は第２可動演出体２６の先端部の支軸１２２廻りに所要範囲内で往復回動自在に枢支され、モータ等の回動駆動手段１２３の駆動により巻き掛け機構１２４を介して支軸１２２廻りに回動可能である。回動駆動手段１２３は第２可動演出体２６の基部側に固定されている。巻き掛け機構１２４は回動駆動手段１２３の回転軸１２５に固定された駆動輪１２６と、支軸１２２に固定された従動輪１２７と、これらに巻き掛けられたベルト等の巻き掛け体１２８とを備えている。なお、巻き掛け機構１２４以外の連動手段を使用してもよい。
【００８９】
第１固定手段４６は磁石６９と鉄片６８とを有し、その磁石６９は第１可動演出体２４の裏面に形成された凹部１３１内に、鉄片６８は第２可動演出体２６の前壁部１３２に形成された凹部１３３に夫々固定されている。第２固定手段１１８は磁石６９と鉄片６８とを有し、その磁石６９は第２可動演出体２６の裏板１３４に形成された凹部１３５内に、鉄片６８は保持枠１９に形成された凹部１３６に夫々固定されている。なお、磁石６９、鉄片６８は接着、その他で固定されている。
【００９０】
第１可動演出体２４、第２可動演出体２６は通常退避位置Ｘにあり、その第２可動演出体２６は第２固定手段１１８により保持枠１９に、また第１可動演出体２４は第１固定手段４６により第２可動演出体２６に夫々原点位置で固定されている。予告演出等に際しては、先ず第２可動演出体２６が昇降駆動手段１２０により退避位置Ｘから画像表示部２０の前側の演出位置Ｙへと下降する。このとき第１可動演出体２４は第１固定手段４６により第２可動演出体２６に固定されているので、遊び等で第１可動演出体２４が不安定に揺動等をすることはない。
【００９１】
第１可動演出体２４が演出位置Ｙに下降すると、第１可動演出体２４の前面の演出表示部１２１が点滅発光又は連続発光すると共に、第１可動演出体２４が予告演出パターンに応じて回動駆動手段１２３の駆動により支軸１２２廻りに左又は右方向に所要角度回動して特別遊技の発生を予告する。
【００９２】
第１可動演出体２４はその後に原点位置に復帰し停止して第１固定手段４６により固定され、また演出表示部１２１の発光が終了する。また第２可動演出体２６は支軸１１９廻りに退避位置Ｘへと上昇して退避位置Ｘである原点位置で第２固定手段１１８により固定される。
【００９３】
このような可動演出を行う第１可動演出体２４、第２可動演出体２６においても、各可動演出体２４，２６を固定手段４６，１１８により原点位置で固定することが可能である。特に可動演出を行う第２可動演出体２６に支軸１２２等の支持部２５を介して支持された第１可動演出体２４を固定手段４６により固定する場合は勿論のこと、固定部材である保持枠１９に対して支軸１１９等の支持部２５を介して支持された第２可動演出体２６の固定用としても固定手段１１８を採用することが可能であり、これによって第２可動演出体２６を原点位置に確実に固定することができる。
【００９４】
以上、本発明の各実施例について詳述したが、本発明はこの各実施例に限定されるものではなく、本発明の趣旨を逸脱しない範囲で種々の変更が可能である。例えば、可動演出を行う第２可動演出体２６に支持部２５を介して第１可動演出体２４を取り付けておき、その第２可動演出体２６の演出動作時に第１可動演出体２４が不安定に動かないように固定手段４６により固定する場合に非常に効果的であるが、その場合に第２可動演出体２６は各実施例に例示のような昇降及び揺動式の他、直線移動式等でもよい。
【００９５】
また実施例では第１可動演出体２４が揺動駆動手段４５の駆動により支軸４４廻りに揺動する揺動式を例示しているが、第１可動演出体２４が支軸４４廻りに回転する回転式でも同様にできる。その場合には、揺動駆動手段４５に代替して回転駆動手段を設ければよい。第１可動演出体２４は第２可動演出体２６に対して相対的に摺動する摺動式でもよい。更に可動演出体を構成しない移動式の支持枠に可動演出体２４を設ける場合にも利用可能である。なお、第１可動演出体２４、第２可動演出体２６の構造、形状等は問題ではない。
【００９６】
第１可動演出体２４が１８０度回転して停止する等、第１可動演出体２４が所定角度揺動又は回転した位置で第１可動演出体２４が停止する場合には、第２可動演出体２６側に各停止位置に対応して鉄片６８（第１可動演出体２４に鉄片がある場合には磁石６９）を設けるようにしてもよい。これによって各停止位置での第１可動演出体２４の停止精度が向上する。
【００９７】
可動演出体２４，２６を画像表示手段１３の保持枠１９等の固定部材に相対移動可能に設ける場合にも、各実施例と同様に磁石式の固定手段４６，１１８により、その可動演出体２４，２６を原点位置で固定することも可能である。磁石式の固定手段４６，１１８は、磁力を利用して可動演出体２４，２６の移動を阻止するものであればよい。従って、磁石６９を固定部材側に設ける場合には、通電時に磁力を発生する電磁石を利用してもよい。
【００９８】
なお、電磁石を使用する場合には、吸引力が小さければ常時通電してもよいが、可動演出体２４，２６が退避位置Ｘ、演出位置Ｙで停止状態のときに、駆動手段４５が作動状態のときには通電を解除し、昇降駆動手段８７が作動し駆動手段４５が停止状態のときに通電する等、必要に応じて通電を制御することが望ましい。つまり、第１可動演出体２４が演出動作を終了して原点位置で停止するとき、演出動作の途中で第１可動演出体２４が原点位置で一時的に停止するとき等、原点位置で第１可動演出体２４を停止させるとき、原点位置で第１可動演出体２４の停止状態を維持するとき電磁石に通電するようにしてもよい。
【００９９】
またアレンジボール機、雀球遊技機等の弾球遊技機の他、スロットマシンにおいても同様に実施可能であることは云うまでもない。
【図面の簡単な説明】
【０１００】
【図１】本発明の第１の実施例を示すパチンコ機の斜視図である。
【図２】同遊技盤の平面断面図である。
【図３】同遊技盤の側面断面図である。
【図４】同可動演出体及びその昇降支持手段の正面図である。
【図５】同可動演出体の平面断面図である。
【図６】同可動演出体の側面断面図である。
【図７】同第２可動演出体及び駆動支持手段の斜視図である。
【図８】同固定手段の平面断面図である。
【図９】同固定手段の側面断面図である。
【図１０】同制御系のブロック図である
【図１１】同予告演出の説明図である。
【図１２】本発明の第２の実施例を示す固定手段の平面断面図である。
【図１３】本発明の第３の実施例を示す固定手段の平面断面図である。
【図１４】同側面断面図である。
【図１５】本発明の第４の実施例を示す固定手段の平面断面図である。
【図１６】同可動演出体の平面断面図である。
【符号の説明】
【０１０１】
１９  保持枠（支持枠）
２４  第１可動演出体
２５  支持部
２６  第２可動演出体（支持枠）
４５  揺動駆動手段
４６、１１８  固定手段
５９  裏板
６３  前壁部
６８  磁性体
６９  磁石
７２  凹部
７３  押え部
７６  本体部
７７  突出部
７８  肩部
７９  保持部
８０  通孔
８１  凹部
８７，１２０  昇降駆動手段
１２３  回転駆動手段
【図１】
2010110415.tif 000003
【図２】
2010110415.tif 000004
【図３】
2010110415.tif 000005
【図４】
2010110415.tif 000006
【図５】
2010110415.tif 000007
【図６】
2010110415.tif 000008
【図７】
2010110415.tif 000009
【図８】
2010110415.tif 000010
【図９】
2010110415.tif 000011
【図１０】
2010110415.tif 000012
【図１１】
2010110415.tif 000013
【図１２】
2010110415.tif 000014
【図１３】
2010110415.tif 000015
【図１４】
2010110415.tif 000016
【図１５】
2010110415.tif 000017
【図１６】
2010110415.tif 000018